(57)【要約】      （修正有）【課題】コンタクトが変形することがないようにメモリカードを挿入でき、メモリカードを抜去する際にコンタクトの接触力でメモリカードが勢いよく飛び出すことがない電気コネクタを提供する。【解決手段】メモリカードと接触する接触部１４１、１６１を有するとともに上下に配置される複数のコンタクト１４、１６と、コンタクト１４、１６が保持・配列されるとともにメモリカードが挿入される嵌合口２０を有するハウジング１２とを備える電気コネクタ１０において、下側に配置されるコンタクト１６側のハウジング１２に、メモリカード挿入側でかつ嵌合口２０内に突出するとともにメモリカード挿入奥行側に誘い部２８を有する少なくとも２個以上の突起３０を設ける。【選択図】図１
2007287589.tif 000002
【特許請求の範囲】
【請求項１】
メモリカードが挿抜される電気コネクタであって、前記メモリカードと接触する接触部を有するとともに上下に配置される複数のコンタクトと、該コンタクトが保持・配列されるとともに前記メモリカードが挿入される嵌合口を有するハウジングとを備える電気コネクタにおいて、
下側に配置される前記コンタクト側の前記ハウジングに、前記メモリカード挿入側でかつ前記嵌合口内に突出するとともに前記メモリカード挿入奥行側に誘い部を有する少なくとも２個以上の突起を設けることを特徴とする電気コネクタ。
【請求項２】
前記突起の高さを、前記コンタクトの接触部の高さより低くするとともに前記コンタクトの接触力を維持できるようにすることを特徴とする請求項１記載の電気コネクタ。
【請求項３】
前記突起の先端を前記メモリカード挿入奥行方向側に延設し、前記メモリカードを抜去する際に上側に配置される前記コンタクトの接触部と延設した前記突起の誘い部とで前記メモリカードを狭持することを特徴とする請求項１又は２記載の電気コネクタ。
【請求項４】
前記突起の先端を前記メモリカード挿入奥行方向側に延設し、前記メモリカードを抜去する際に上側に配置される前記コンタクトの接触力により前記メモリカードが前記突起側に押圧されることで前記メモリカード先端が前記突起の誘い部先端に引っかかることを特徴とする請求項１又は２記載の電気コネクタ。
【請求項５】
前記ハウジングの両端側に前記メモリカード挿入側に延設した延設部を設けるとともに該延設部の先端に前記メモリカードをロックするロック部を設け、前記延設部の先端に基板へ固定する固定具を装着し、前記固定具には前記ロック部を補強する補強部と前記ロック部の移動を制限する板状片とを一体に設けることを特徴とする請求項１又は２、３又は４記載の電気コネクタ。
【発明の詳細な説明】
【技術分野】
【０００１】
本発明は、プリンタやコンピューター等の電子,電気機器に使用される電気コネクタに関するもので、特にメモリカードのガイド機構及び該ガイド機構部分を利用して前記メモリカード抜去時の前記メモリカードの飛び出しを防止する構造に関するものである。
【背景技術】
【０００２】
マザーボードとドウターボードとの信号（情報）のやり取りについては、複数の電気コネクタをマザーボードに半田付け等により固定し、前記電気コネクタにドウターボードを差込み行なっている。即ち、前記電気コネクタは少なくともドウターボードを差込むための嵌合口を有するハウジングと、該嵌合口内に突出し前記ハウジングに保持・配列されるコンタクトとを備えている。
基板を挿入し易い構造のものとしては、特許文献１（特開平８−２５０２３８号）のものがあり、また、本出願人は、上記のような電気コネクタとして、特許文献２（特開２００２−９４２６６）を既に提案している。
【特許文献１】特開平８−２５０２３８号の要約によると、基板の挿入角度を誤ることなくスムーズに挿入できるようにしたエッジコネクタを得ることを目的とし、ハウジング２に、一端がハウジング２と一体となったガイド部材７を形成し、このガイド部材７は、他端７２の上端部７３が基板載置面２２ｅから突出した案内位置と、基板載置面２２ｅと同一面となる格納位置との間で揺動自在に構成されている。案内位置にあるガイド部材７の上端部７３に基板の下面を当接させると、基板が所定角度はね上がった状態となるため、上端部７３に基板の下面を当接させて滑らせながら挿入させれば、基板の後部が腕部に対して所定角度はね上がったはね上げ位置となって受容空間２１ａ内に基板を挿入させることができる構造のものが開示されている。ちなみに、特許請求の範囲には、請求項１として、基板の前端部を受容可能な受容空間が形成された本体部およびこの本体部の左右両端から後方に延びる腕部を有して樹脂材料によって形成されたハウジングと、前記受容空間内に整列して配設されるとともに前記基板の前端部を受容した状態で前記基板の前端部に形成された導電パッドと当接する複数のコンタクトと、前記腕部に設けられ、前記前端部を前記受容空間内に受容し且つ、前記腕部に沿って延びた状態で前記基板を固定保持するロック手段とを有し、前記基板の前端部が前記受容空間内に挿入されて前記基板の後部が前記腕部に対して所定角度はね上がったはね上げ位置から、前記基板の下面が前記腕部に形成された基板載置面に当接する実装位置に押し下げられることにより前記導電パッドと前記コンタクトとが押圧接触するエッジコネクタであって、一端が前記ハウジングと一体に形成され、他端の上端部が前記基板載置面から上方に突出し、前記基板の前記受容空間内への挿入時に前記基板の下面と当接し、前記基板を前記所定角度だけはね上がった状態で前記はね上げ位置へ挿入させる案内を行う案内位置と、前記基板が前記実装位置に押し下げられるときに前記基板とともに下動して前記上端部が前記基板載置面と同一面となる格納位置との間で揺動自在なガイド部材を有していることを特徴とするエッジコネクタが開示されている。
【特許文献２】特開２００２−９４２６６の要約によると、基板の重量に関係なく、振動や衝撃でもイジェクトロックが外れることがなく、安定した接続が得られる電気コネクタを提供をすることを目的とし、所要数のコンタクトと、このコンタクトを保持・固定すると共に長手方向両側にガイド部を有し、かつ、基板が挿入される嵌合口を有するハウジングと、ガイド部に回動可能に装着されたイジェクトロックとからなる電気コネクタにおいて、基板が嵌合口に挿入された際に、イジェクタロックの係合部が基板の係止部から外れないようにガイド部にロック保護部材を装着する構造の電気コネクタとロック保護部材が摺動する際に双方のガイド突起でロック保護部材をガイドできるような構造の電気コネクタが開示されている。ちなみに、特許請求の範囲の請求項１には、所要数のコンタクトと、このコンタクトを保持・固定すると共に長手方向両側にガイド部を有し、かつ、基板が挿入される嵌合口を有するハウジングと、前記ガイド部に回動可能に装着されたイジェクトロックとからなる電気コネクタにおいて、基板が嵌合口に挿入された際に、イジェクタロックの係合部が基板の係止部から外れないように前記ガイド部にロック保護部材を装着したことを特徴とする電気コネクタ。請求項２には、前記ロック保護部材は電気コネクタの厚み方向に摺動可能に装着されたことを特徴とする請求項１記載の電気コネクタ。請求項３には、前記イジェクタロックの幅方向両側に係止溝を設け、前記ロック保護部材の幅方向内側に係合突起を設け、基板が挿入されイジェクタロックで係合された際にロック保護部材の係合突起がイジェクトロックの係止溝に係合することを特徴とする請求項１記載の電気コネクタ。請求項４には、前記ロック保護部材の左右方向両側には、ガイド突起Ａとガイド突起Ｂを設け、ロック保護部材が摺動する際に前記双方のガイド突起でロック保護部材をガイドすることを特徴とする請求項２記載の電気コネクタ。請求項５には、前記ロック保護部材には前記ガイド突起Ｂの基板挿入方向側に突起を設け、該突起によりイジェクトロックの回動方向に対する保持を強化したことを特徴とする請求項４記載の電気コネクタ等が開示されている。
【発明の開示】
【発明が解決しようとする課題】
【０００３】
近年、より一層のコネクタの小型化が進む中、かつ、やり取りする情報量も多くなり、メモリ等の容量を増設するために、マザーボートに接続された状態の電気コネクタに増設用のメモリカードを装着することがある。
特許文献１や特許文献２の構造のコネクタでは、前記コンタクトが前記メモリカードが挿入される嵌合口内に突出しているために、挿入されるメモリカードの先端で前記コンタクトを変形させてしまうことがあり、変形させることで接続不良に繋がってしまうといった課題があった。
また、前記電気コネクタから前記メモリカードを抜去する際に、上下に配置された前記コンタクトの接触力によって、前記メモリカードが勢いよく飛び出してしまうことがあり、前記メモリカードの破損に繋がると言った問題点もあった。
さらに、前記メモリカードをロックする部分が前記ハウジングと一体構造に設けられた絶縁物であるために、前記ロック部分が変位した際に破損してしまうこともあった。
【０００４】
本発明は、このような従来の問題点に鑑みてなされたもので、前記コンタクトが変形することがないようにメモリカードを挿入でき、前記メモリカードを抜去する際に前記コンタクトの接触力で前記メモリカードが勢いよく飛び出すことがない電気コネクタを提供せんとするものである。
【課題を解決するための手段】
【０００５】
上記目的は、メモリカード７０が挿抜される電気コネクタ１０であって、前記メモリカード７０と接触する接触部１４１、１６１を有するとともに上下に配置される複数のコンタクト１４、１６と、該コンタクト１４、１６が保持・配列されるとともに前記メモリカード７０が挿入される嵌合口２０を有するハウジング１２とを備える電気コネクタ１０において、下側に配置される前記コンタクト１６側の前記ハウジング１２に、前記メモリカード挿入側でかつ前記嵌合口２０内に突出するとともに前記メモリカード挿入奥行側に誘い部２８を有する少なくとも２個以上の突起３０を設けることにより達成できる。
【０００６】
前記突起３０の高さを、前記コンタクト１６の接触部１６１の高さより低くするとともに前記コンタクト１６の接触力を維持できるようにする。
また、前記突起３０の先端を前記メモリカード挿入奥行方向側に延設し、前記メモリカード７０を抜去する際に上側に配置される前記コンタクト１４の接触部１４１と延設した前記突起３０の誘い部２８とで前記メモリカード７０を狭持する。
前記突起３０の先端を前記メモリカード挿入奥行方向側に延設し、前記メモリカード７０を抜去する際に上側に配置される前記コンタクト１４の接触力により前記メモリカード７０が前記突起３０側に押圧されることで前記メモリカード先端が前記突起３０の誘い部２８先端に引っかかるようにする。
さらに、前記ハウジング１２の両端側に前記メモリカード挿入側に延設した延設部２４を設けるとともに該延設部２４の先端に前記メモリカード７０をロックするロック部３２を設け、前記延設部２４の先端に基板６０へ固定する固定具１８を装着し、前記固定具１８には前記ロック部３２を補強する補強部３６と前記ロック部３２の移動を制限する板状片４０とを一体に設ける。
【発明の効果】
【０００７】
本発明は、このような従来の問題点に鑑みてなされたもので、前記コンタクトが変形することがないようにメモリカードを挿入でき、前記メモリカードを抜去する際に前記コンタクトの接触力で前記メモリカードが勢いよく飛び出すことがない電気コネクタを提供せんとするものである。
以上の説明から明らかなように、本発明の電気コネクタ１０によると、次のような優れた顕著な効果が得られる。
（１）メモリカード７０が挿抜される電気コネクタ１０であって、前記メモリカード７０と接触する接触部１４１、１６１を有するとともに上下に配置される複数のコンタクト１４、１６と、該コンタクト１４、１６が保持・配列されるとともに前記メモリカード７０が挿入される嵌合口２０を有するハウジング１２とを備える電気コネクタ１０において、下側に配置される前記コンタクト１６側の前記ハウジング１２に、前記メモリカード挿入側でかつ前記嵌合口２０内に突出するとともに前記メモリカード挿入奥行側に誘い部２８を有する少なくとも２個以上の突起３０を設けているので、前記メモリカード７０を挿入した際に前記コンタクト１６が変形することがない。
（２）前記突起３０の高さを、前記コンタクト１６の接触部１６１の高さより低くするとともに前記コンタクト１６の接触力を維持できるようにしているので、前記メモリカードを挿入した際に前記コンタクト１６が変形することがなく、確実に安定した接続を得ることができる。
（３）前記突起３０の先端を前記メモリカード挿入奥行方向側に延設し、前記メモリカード７０を抜去する際に上側に配置される前記コンタクト１４の接触部１４１と延設した前記突起３０の誘い部２８とで前記メモリカード７０を狭持するようにしているので、前記メモリカード７０を抜去する際に前記コンタクト１４、１６の接触力で前記メモリカード７０が勢いよく飛び出すことがなく、前記メモリカード７０が破損することがない。
（４）前記突起３０の先端を前記メモリカード挿入奥行方向側に延設し、前記メモリカード７０を抜去する際に上側に配置される前記コンタクト１４の接触力により前記メモリカード７０が前記突起３０側に押圧されることで前記メモリカード先端が前記突起３０の誘い部２８先端に引っ掛かるようにしているので、前記メモリカード７０を抜去する際に前記コンタクト１４、１６の接触力で前記メモリカード７０が勢いよく飛び出すことがなく、前記メモリカード７０が破損することがない。
（５）前記ハウジング１２の両端側に前記メモリカード挿入側に延設した延設部２４を設けるとともに該延設部２４の先端に前記メモリカード７０をロックするロック部３２を設け、前記延設部２４の先端に基板６０へ固定する固定具１８を装着し、前記固定具１８には前記ロック部３２を補強する補強部３６と前記ロック部３２の移動を制限する板状片４０とを一体に設けているので、変位（移動）量を制限できるため前記ロック部３２が破損することがなく、かつ、一体に固定具１８を設けているため基板６０への安定した接続を得ることができる。
【発明を実施するための最良の形態】
【０００８】
図１から図７に基づいて、本発明の一実施例について説明する。図１（Ａ）は嵌合側よりみた本発明の電気コネクタの斜視図であり、（Ｂ）は結線側よりみた本発明の電気コネクタの斜視図であり、（Ｃ）は嵌合側よりみた本発明の電気コネクタの部分拡大斜視図である。図２（Ａ）はメモリカードが挿入された状態の本発明の電気コネクタの斜視図であり、（Ｂ）はメモリカードが挿入される前の状態の本発明の電気コネクタとメモリカードの斜視図である。図３（Ａ）は本発明の電気コネクタにメモリカードが挿入された状態の断面図であり、（Ｂ）はメモリカードを抜去する際の先端が引っ掛かった状態の断面図である。図４（Ａ）は図３（Ａ）の部分拡大断面図であり、（Ｂ）は図３（Ｂ）の部分拡大断面図である。図５（Ａ）は上側コンタクトの斜視図であり、（Ｂ）は下側コンタクトの斜視図である。図６はハウジングの斜視図であり、図７は固定具の斜視図である。
本発明の電気コネクタ１０は、主に複数のコンタクト１４とハウジング１２とロック部材１６とを備えている。
【０００９】
構成部品を説明する前に、メモリカード６０（ドウターボード）について説明する。前記メモリカード６０はパソコンやサーバ、プリンタ等に使用されるものであって、前記メモリカード６０には主にコンタクト１４の接触部２８と接触する接触部と該接触部から回路へ繋がるパターンと該パターン上に搭載されたＩＣやＣＰＵと接続する接続部とを備えている。本発明の電気コネクタ１０に使用されるメモリカード６０としては、ＤＩＭＭモリーカードやＳＯ−ＤＩＭＭメモリーカードや専用メモリーカード等のメモリカードが挙げられる。
本実施例のカードコネクタ１０には、ＤＩＭＭメモリーカードを使用している。
【００１０】
まず、本発明のポイントであるハウジング１２について説明する。このハウジング１２は電気絶縁性のプラスチックであり、公知技術の射出成形によって製作され、この材質としては寸法安定性や加工性やコスト等を考慮して適宜選択するが、一般的にはポリブチレンテレフタレート（ＰＢＴ）やポリアミド（６６ＰＡ、４６ＰＡ）や液晶ポリマー（ＬＣＰ）やポリカーボネート（ＰＣ）やこれらの合成材料を挙げることができる。
前記ハウジング１２は、主に本実施例では本体部２２と該本体部２２の両側に一体に延設された延設部２４とを有している。前記ハウジング１２の本体部２２には、前記メモリカード７０が挿入される嵌合口２０が設けられている。前記嵌合口２０の大きさは所要数の前記メモリカード７０が挿入でき、前記メモリカード６０が挿入された際に上下に対向して配置された２つの前記コンタクト１４、１６に接触できるように適宜設計されている。
【００１１】
前記本体部２２には、上下に配置される前記コンタクト１４、１６とが保持・配列される複数の挿入孔２６が２段に設けられている。前記挿入孔２６の大きさは、前記コンタクト１４を保持でき、前記コンタクト１４の接触部２８が前記嵌合口１８内に突出し、一定の接触力で前記メモリカード６０に接触できるように適宜設計する。
【００１２】
前記ハウジング１２の嵌合口２０内には、下側に配置される前記コンタクト１６側で、前記メモリカード挿入側でかつ前記嵌合口２０内に突出するとともに前記メモリカード挿入奥行側に少なくとも２個以上の突起３０が設けられている。該突起３０の先端（嵌合口２おの反対側）には、誘い部２８を設けることが望ましい。前記突起３０の高さを、前記コンタクト１６の接触部１６１の高さより低くするとともに前記コンタクト１６の接触力を維持できるように適宜設計する。前記誘い部２８の形状としては、本実施例ではテーパーにし、その角度は前記メモリカード７０を挿入する角度や抜去する際の角度や上側の前記コンタクト１４とで前記」メモリカード７０を狭持すること等を考慮して適宜設計している。
【００１３】
前記突起３０の数量は、前記メモリカード７０を挿入する際のバランスを考えると、少なくと両端に各１個ずつ計２個設けることがよい。さらに、バランスを考慮すると、両端と中央に各１個ずつ計３個設けることが望ましい。
また、前記突起３０の先端を前記メモリカード挿入奥行方向側に延設することが望ましい。このように延設し、前記メモリカード７０を抜去する際に上側に配置される前記コンタクト１４の接触部１４１と延設した前記突起３０の誘い部２８とで前記メモリカード７０を狭持し、前記メモリカード７０を抜去する際に上側に配置される前記コンタクト１４の接触力により前記メモリカード７０が前記突起３０側に押圧されることで前記メモリカード先端が前記突起３０の誘い部２８先端に引っ掛かるようにすることが望ましい。このようにすることで、前記メモリカード７０を抜去する際に前記コンタクト１４、１６の接触力で前記メモリカード７０が勢いよく飛び出すことを防止できる。延設する量としては、このような役割を考慮して適宜設計する。
【００１４】
本実施例では、前記ハウジング１２の延設部２４の先端に、前記メモリカード７０とロックするロック部３２が設けられている。該ロック部３２は前記メモリカード７０を保持する部分であり、かつ、前記メモリカード７０を抜去する際には外側方向に開くことで、前記メモリカード７０を前記ロック部３２から外している。前記ロック部３２の大きさ及び形状は、このような役割を考慮して適宜設計する。
【００１５】
次に、固定具１８について説明する。前記固定具１８は金属製であり、公知技術のプレス加工によって製作されている。前記固定具１８の材質としては、バネ性や寸法安定性や加工性などが要求されるので、黄銅やベリリウム銅やリン青銅等を挙げることができる。
本実施例においては、前記固定具１８には少なくとも基板６０に接続する固定部分３８と前記ハウジング１２の延設部２４を補強する補強部３６と前記ロック部３２の移動を制限する板状片４０と前記ハウジング１２へ保持するための保持部３４とを有している。
【００１６】
前記固定部分３８は、本実施例では、基板６０の回路設計を考慮してＳＭＴ（表面実装）タイプにしたが、ディップタイプであってもよい。前記保持部３４は、本実施例では圧入によって固定されているため、圧入代が設けられている。
前記補強部３６は、前記延設部２４を補強するためのものであり、前記ロック部３２の反対面の延設部２４に当設している。
前記板状片４０は前記延設部２４（ロック部３２）の移動量を制限するものであり、前記板状片４０と前記延設部２４との間隔は、前記メモリカード７０が抜去できることや前記延設部２４の強度や加工性等を考慮して適宜設計する。
【００１７】
最後に、上下に配置された２つのコンタクト１４、１６について説明する。前記コンタクト１４、１６は金属製であり、公知技術のプレス加工によって製作されている。前記コンタクト１４、１６の材質としては、バネ性や導電性や寸法安定性などが要求されるので、黄銅やベリリウム銅やリン青銅等を挙げることができる。
前記コンタクト１４、１６は、少なくとも前記メモリカード７０に接触する接触部１４１、１６１と前記ハウジング１２に固定される固定部１４２、１６２と基板６０に接続する接続部１４３、１６３とを備えている。前記接触部１４１、１６１の形状としては、前記メモリカード７０と接触し易いように湾曲形状にしている。前記コンタクト１４、１６の前記接続部１４３、１６３は本実施例では基板６０の回路設計を考慮してＳＭＴ（表面実装）タイプにしたが、ディップタイプであってもよい。前記コンタクト１４、１６は、前記接触部１４１、１６１同士が対向し、かつ、千鳥に配置されている。
【００１８】
前記メモリカード７０を抜去する際に、上側の前記コンタクト１４の接触部１４１と前記突起３０の誘い部２８とで前記メモリカード７０を狭持し、前記メモリカード７０を抜去する際に上側に配置される前記コンタクト１４の接触力により前記メモリカード７０が前記突起３０側に押圧されることで前記メモリカード先端が前記突起３０の誘い部２８先端に引っ掛かるようにしている。
前記コンタクト１４、１６は、前記ハウジング１２に圧入や引っ掛け（ランス）や溶着などによって固定されている。
【産業上の利用可能性】
【００１９】
本発明の活用例としては、プリンタやコンピューター等の電子・電気機器に使用される電気コネクタに活用され、特にメモリカードのガイド機構及び該ガイド機構部分を利用して前記メモリカード抜去時の前記メモリカードの飛び出しを防止する構造に関するものである。
【図面の簡単な説明】
【００２０】
【図１】（Ａ）  嵌合側よりみた本発明の電気コネクタの斜視図である。（Ｂ）  結線側よりみた本発明の電気コネクタの斜視図である。（Ｃ）  嵌合側よりみた本発明の電気コネクタの部分拡大斜視図である。
【図２】（Ａ）  メモリカードが挿入された状態の本発明の電気コネクタの斜視図である。（Ｂ）  メモリカードが挿入される前の状態の本発明の電気コネクタとメモリカードの斜視図である。
【図３】（Ａ）  本発明の電気コネクタにメモリカードが挿入された状態の断面図である。（Ｂ）  メモリカードを抜去する際の先端が引っ掛かった状態の断面図である。
【図４】（Ａ）  図３（Ａ）の部分拡大断面図である。（Ｂ）  図３（Ｂ）の部分拡大断面図である。
【図５】（Ａ）  上側コンタクトの斜視図である。（Ｂ）  下側コンタクトの斜視図である。
【図６】ハウジングの斜視図である。
【図７】固定具の斜視図である。
【符号の説明】
【００２１】
１０                  電気コネクタ
１２                  ハウジング
１４、１６            コンタクト
１４１、１６１、７２  接触部
１４２、１６２        固定部
１４３、１６３        接続部
１８                  固定具
２０                  嵌合口
２２                  本体部
２４                  延設部
２６                  挿入孔
２８                  誘い部
３０                  突起
３２                  ロック部
３４                  保持部
３６                  補強部
３８                  固定部分
４０                  板状片
６０                  基板
７０                  メモリカード
【図１】
2007287589.tif 000003
【図２】
2007287589.tif 000004
【図３】
2007287589.tif 000005
【図４】
2007287589.tif 000006
【図５】
2007287589.tif 000007
【図６】
2007287589.tif 000008
【図７】
2007287589.tif 000009